(57)【要約】【課題】解体作業時に容易にラベルを剥がすことが可能な剥離紙付ラベルを提供する。【解決手段】剥離紙付ラベル１３は、ラベル１４とこのラベルが仮着する剥離紙１５とを備え、ラベル１２の状態にした後に拝み巻きで使用する。ラベル１４は、ラベル基材１６と、ラベル基材１６の裏面１７に設ける粘着剤層１８とを備える。また、剥離紙１５は、基材本体２４及び非剥離部２５を有する剥離紙基材２６と、基材本体２４の表面２７に設ける剥離剤層２８とを備える。非剥離部２５は、この表面２９が粘着剤層１８に付いて剥がれない、若しくは剥がれ難くなる部分となる。基材本体２４側のみを剥がしてラベル１２とし、拝み巻きで使用すると、ラベル重なり合い部分３８の一部又は全部に非剥離部２５が介在する。【選択図】図２
2009116045.tif 000002
【特許請求の範囲】
【請求項１】
ラベルと該ラベルが仮着する剥離紙とを備え、拝み巻きで使用する剥離紙付ラベルにおいて、
前記ラベルは、ラベル基材と、該ラベル基材の裏面に設ける粘着剤層とを備え、
前記剥離紙は、基材本体及び非剥離部を有する剥離紙基材と、前記基材本体の表面に設ける剥離剤層とを備え、
前記非剥離部は、この表面が前記粘着剤層に付いて剥がれない、若しくは剥がれ難くなる部分となり、
前記基材本体側のみを剥がして前記拝み巻きで使用した際は、ラベル重なり合い部分の一部又は全部に前記非剥離部が介在する
ことを特徴とする剥離紙付ラベル。
【請求項２】
請求項１に記載の剥離紙付ラベルにおいて、
前記非剥離部の裏面に粘着力低下層を設ける
ことを特徴とする剥離紙付ラベル。
【請求項３】
請求項１に記載の剥離紙付ラベルにおいて、
前記非剥離部の介在位置を前記ラベル重なり合い部分の一部とする場合、前記非剥離部の裏面に剥離剤層を設ける
ことを特徴とする剥離紙付ラベル。
【請求項４】
請求項１ないし請求項３いずれか記載の剥離紙付ラベルにおいて、
前記ラベル重なり合い部分のラベル端部の位置に合わせて前記非剥離部が介在する
ことを特徴とする剥離紙付ラベル。
【請求項５】
請求項１ないし請求項４いずれか記載の剥離紙付ラベルにおいて、
前記拝み巻きで使用する対象をワイヤハーネスとする
ことを特徴とする剥離紙付ラベル。
【発明の詳細な説明】
【技術分野】
【０００１】
本発明は、ラベルと剥離紙とを備える剥離紙付ラベルに関し、詳しくは、拝み巻きで使用する剥離紙付ラベルに関する。
【背景技術】
【０００２】
図３において、例えば、自動車等の移動体に配索されるワイヤハーネス１には、ラベル２が付けられている。ラベル２は、短冊状のものであって、図示しない剥離紙を剥がした後にワイヤハーネス１の周囲に拝み巻きにて付けられている。ラベル２における引用符号３は、ラベル重なり合い部分を示している。このラベル重なり合い部分３のラベル同士は、これらの粘着剤層によって貼り付いた状態になっている。
【０００３】
剥離紙付ラベルに関しては下記特許文献１の開示技術などが知られている。
【特許文献１】特開２００５−３４５８７５号公報
【発明の開示】
【発明が解決しようとする課題】
【０００４】
拝み巻きによりラベル２を貼り付けると、粘着層同士の貼り合わせにより粘着力が増して剥がし難くなるため、解体の必要性が出た場合にラベル剥がし作業に時間が掛かってしまうことになる。従って、解体作業時に非常に面倒な作業をしなければならないという問題点を有している。
【０００５】
尚、上記問題点の対策として、ラベル重なり合い部分３の長さを短くし粘着層同士の貼り合わせ面積を小さくして剥がし易くすることが考えられるが、短くするとラベルとしての機能を十分に発揮することができないという恐れを有している。また、短くすると貼り合わせに係る作業がし難くなるということにもなる。
【０００６】
本発明は、上記した事情に鑑みてなされたもので、解体作業時に容易にラベルを剥がすことが可能な剥離紙付ラベルを提供することを課題とする。
【課題を解決するための手段】
【０００７】
上記課題を解決するためになされた請求項１記載の本発明の剥離紙付ラベルは、ラベルと該ラベルが仮着する剥離紙とを備え、拝み巻きで使用する剥離紙付ラベルにおいて、前記ラベルは、ラベル基材と、該ラベル基材の裏面に設ける粘着剤層とを備え、前記剥離紙は、基材本体及び非剥離部を有する剥離紙基材と、前記基材本体の表面に設ける剥離剤層とを備え、前記非剥離部は、この表面が前記粘着剤層に付いて剥がれない、若しくは剥がれ難くなる部分となり、前記基材本体側のみを剥がして前記拝み巻きで使用した際は、ラベル重なり合い部分の一部又は全部に前記非剥離部が介在することを特徴としている。
【０００８】
このような特徴を有する本発明によれば、ラベル重なり合い部分の一部に非剥離部が介在する場合、ラベル重なり合い部分の長さを十分に確保した上で、粘着剤層同士の貼り合わせ面積を小さくすることが可能になる。また、本発明によれば、ラベル重なり合い部分の全部に非剥離部が介在する場合、粘着剤層同士の貼り合わせではなく、非剥離部と粘着剤層との貼り合わせになり、これによって粘着力を低下させることが可能になる。本発明によれば、剥がし易い状態が形成される。
【０００９】
請求項２記載の本発明の剥離紙付ラベルは、請求項１に記載の剥離紙付ラベルにおいて、前記非剥離部の裏面に粘着力低下層を設けることを特徴としている。
【００１０】
このような特徴を有する本発明によれば、ラベル重なり合い部分は、この一部又は全部が非剥離部の粘着力低下層とラベルの粘着剤層との貼り合わせになる。粘着力低下層により粘着剤層同士の貼り合わせよりも粘着力が低下して剥がし易い状態が形成される。
【００１１】
請求項３記載の本発明の剥離紙付ラベルは、請求項１に記載の剥離紙付ラベルにおいて、前記非剥離部の介在位置を前記ラベル重なり合い部分の一部とする場合、前記非剥離部の裏面に剥離剤層を設けることを特徴としている。
【００１２】
このような特徴を有する本発明によれば、ラベル重なり合い部分は、この一部が非剥離部の剥離剤層とラベルの粘着剤層との貼り合わせになり、残り部分が粘着剤層同士の貼り合わせになる。ラベル重なり合い部分は、貼り合わせをしても非剥離部の介在する部分で剥離剤層によって剥がし易い状態が形成される。
【００１３】
請求項４記載の本発明の剥離紙付ラベルは、請求項１ないし請求項３いずれか記載の剥離紙付ラベルにおいて、前記ラベル重なり合い部分のラベル端部の位置に合わせて前記非剥離部が介在することを特徴としている。
【００１４】
このような特徴を有する本発明によれば、ラベル重なり合い部分のラベル端部位置から容易に剥がしはじめることが可能になる。
【００１５】
請求項５記載の本発明の剥離紙付ラベルは、請求項１ないし請求項４いずれか記載の剥離紙付ラベルにおいて、前記拝み巻きで使用する対象をワイヤハーネスとすることを特徴としている。
【００１６】
このような特徴を有する本発明によれば、ワイヤハーネスに対し拝み巻きをして付けるラベルになる。ラベルは、ワイヤハーネスの解体時に容易に剥がすことが可能になる。
【発明の効果】
【００１７】
請求項１に記載された本発明によれば、解体作業時に容易にラベルを剥がすことができるという効果を奏する。また、解体前においては、ラベル重なり合い部分の長さを十分に確保してラベルとしての機能を発揮させることができるという効果を奏する。
【００１８】
請求項２、３に記載されたそれぞれ本発明によれば、剥がし易い状態を形成することができるという効果を奏する。
【００１９】
請求項４に記載された本発明によれば、ラベル重なり合い部分のラベル端部位置から剥がし易くなることから、解体時の作業をより一層容易に行うことができるという効果を奏する。
【００２０】
請求項５に記載された本発明によれば、ワイヤハーネスに対して好適なラベルとてし提供することができるという効果を奏する。
【発明を実施するための最良の形態】
【００２１】
以下、図面を参照しながら説明する。図１は本発明の剥離紙付ラベルの一実施の形態を示す図であり、図１（ａ）はワイヤハーネスに拝み巻きした状態を示す斜視図、図１（ｂ）は（ａ）のＡ視方向の図、図１（ｃ）は（ｂ）のＢ部の拡大図である。また、図２（ａ）は剥離紙付ラベルの側面図、図２（ｂ）は剥離紙基材の基材本体を剥がした状態の側面図である。
【００２２】
図１において、引用符号１１は公知のワイヤハーネスを示している。このワイヤハーネス１１の外面には、ラベル１２が拝み巻きによって付けられている。ラベル１２は、図２に示す如くの本発明に係る剥離紙付ラベル１３からなるものであって、ワイヤハーネス１１の易解体に寄与する構成及び構造を有している。先ず、図２を参照しながら剥離紙付ラベル１３について説明し、次に、図１のラベル１２について説明をする。尚、図１のラベル１２は使用時のラベルを指すものとする。
【００２３】
図２（ａ）において、剥離紙付ラベル１３は、ラベル１４と、このラベル１４が仮着する剥離紙（剥離ライナー）１５とを備えて構成されている。剥離紙付ラベル１３は、ワイヤハーネス１１（図１参照）の外面一周よりも十分に長い長さを有する短冊形状に形成されている（短冊形状は一例であるものとする）。剥離紙付ラベル１３は、後述するが、剥離紙１５の一部を残して使用されるようになっており、使用時は図１のラベル１２となるようになっている。
【００２４】
ラベル１４は、ラベル基材１６と、このラベル基材１６の平坦な裏面１７に設けられる粘着剤層１８とを備えて構成されている。ラベル基材１６の表面１９は、裏面１７同様に平坦に形成されている。粘着剤層１８は、均一な厚みでラベル基材１６の裏面１７全面に設けられている。ラベル基材１６及び粘着剤層１８は、本形態において、従来のラベル２（図３参照）と同じものとなっている。尚、ラベル基材１６及び粘着剤層１８の厚みは、使用時の拝み巻きに支障を来さない範囲で任意の厚みに設定されるものとする（本形態においては厚みを誇張して図示している。後述する他の構成の厚みも同様に任意設定であり、誇張して図示してあるものとする）。
【００２５】
ラベル１４は、使用時（図１のラベル１２の状態）に引用符号２０、２１の部分が後述するラベル重なり合い部分となるようになっている。また、引用符号２２、２３の部分がラベル端部となるようになっている。
【００２６】
剥離紙１５は、基材本体２４及び非剥離部２５を有する剥離紙基材２６と、基材本体２４の表面２７に設けられる剥離剤層２８と、非剥離部２５の表面２９に設けられる粘着剤層３０と、非剥離部２５の裏面３１に設けられる粘着力低下層３２（又は剥離剤層３３）とを備えて構成されている。また、剥離紙１５は、引用符号３４で示される切り離し部分を有している。
【００２７】
剥離紙基材２６の基材本体２４及び非剥離部２５は共に同じ材質のものとなっている。非剥離部２５は、後述するラベル重なり合い部分の大きさに合わせて基材長手方向の長さが設定されている。基材本体２４と非剥離部２５との間には、切り離し部分３４が設けられている。剥離紙基材２６は、非剥離部２５の端部３５がラベル１４のラベル端部２２よりも若干外側へ突出するように形成されている（端部３５の位置は、ラベル端部２２と同位置であっても良いものとする。本形態においては、後述するラベル重なり合い部分のラベル剥がし作業を若干し易くするために外側へ突出させている。尚、製造面や歩留まりに配慮する場合には、上記同位置にしても良く、この場合、作業のし易さは十分に確保されて問題ないものとする）。
【００２８】
非剥離部２５は、この表面２９側がラベル１４の粘着剤層１８に付いて剥がれない、若しくは、表面２９側が剥がれ難くなる部分となるようになっている。本形態においては、粘着剤層３０によってラベル１４側に付くようになっている（粘着剤層３０が無くても十分に付くように非剥離部２５の材質を設定したり、表面２９の面状態を調整しても良いものとする）。非剥離部２５は、後述するラベル重なり合い部分の一部または全部に介在するように形成されている。例えば、上記一部に介在する場合には、非剥離部２５の裏面３１に剥離剤層３３又は粘着力低下層３２が設けられ、上記全部に介在する場合には、粘着力低下層３２が設けられるようになっている。
【００２９】
粘着剤層３０は、ラベル１４のラベル端部２２の位置に合わせて設けられている。粘着剤層３０は、非剥離部２５の端部３５のように外側に突出しないように設けられている。
【００３０】
非剥離部２５の裏面３１側は、ラベル１４の引用符号２１の部分が粘着剤層１８を介して重なるようになっている。このような裏面３１に設けられる粘着力低下層３２は、引用符号２１の部分の粘着剤層１８の粘着力を低下させることができるように形成されている。本形態においては、砂、塵等を付けて粘着力を低下させることができるようになっている（一例であるものとする）。粘着力低下層３２は、非剥離部２５の裏面３１全面に設けられている。
【００３１】
粘着力低下層３２に替えて非剥離部２５の裏面３１に設けられる剥離剤層３３は、基材本体２４の表面２７に設けられる剥離剤層２８と同様のものとなっている。尚、剥離剤層３３を基材本体２４にも設けて、基材本体２４の表裏を剥離剤層としても良いものとする。
【００３２】
基材本体２４の剥離剤層２８は、基材本体２４の表面２７全面に設けられている。基材本体２４及び剥離剤層２８は、この端部３６及び３７の位置がラベル１４のラベル端部２３と同位置になるように設けられている。
【００３３】
基材本体２４は、剥離剤層２８を有することから、切り離し部分３４を介してこれ自体をラベル１４から剥がすことができるようになっている。剥離紙付ラベル１３は、基材本体２４を剥がすと、図２（ｂ）に示す如くラベル１２が形成され、この後、ラベル１２はワイヤハーネス１１（図１参照）に対して使用することができるようになっている。
【００３４】
上記構成及び構造において、図１に示す如くラベル１２を拝み巻きにしてワイヤハーネス１１の外面に付けると、外面から突出するようにラベル重なり合い部分３８が形成される。ラベル重なり合い部分３８は、非剥離部２５を介在させた状態で形成される。引用符号３９はラベル重なり合い部分３８における粘着面を示している。粘着面３８は、従来よりも非剥離部２５の分だけ（例えば従来の半分）少なくなっている。ラベル重なり合い部分３８は、非剥離部２５の裏面３１に粘着力低下層３２（又は剥離剤層３３）を設けていることから、この部分においても粘着力が低下するようになる。従って、解体が必要な場合においては、粘着力低下層３２（又は剥離剤層３３）とラベル端部２３との位置から容易に剥がしはじめてラベル１２を除去することができるようになる。
【００３５】
以上、図１及び図２を参照しながら説明してきたように、本発明によれば、解体作業時にラベル１２を容易に剥がしてワイヤハーネス１１から除去することができるという効果を奏する。また、本発明によれば、解体前において、ラベル重なり合い部分３８の長さを十分に確保してラベルとしての機能を発揮させることができるという効果を奏する。
【００３６】
この他、本発明は本発明の主旨を変えない範囲で種々変更実施可能なことは勿論である。
【図面の簡単な説明】
【００３７】
【図１】本発明の剥離紙付ラベルの一実施の形態を示す図であり、（ａ）はワイヤハーネスに拝み巻きした状態を示す斜視図、（ｂ）は（ａ）のＡ視方向の図、（ｃ）は（ｂ）のＢ部の拡大図である。
【図２】（ａ）は剥離紙付ラベルの側面図、（ｂ）は剥離紙基材の基材本体を剥がした状態の側面図である。
【図３】従来例の剥離紙付ラベルを示す図であり、（ａ）はワイヤハーネスに拝み巻きした状態を示す斜視図、（ｂ）は（ａ）のＡ視方向の図である。
【符号の説明】
【００３８】
１１  ワイヤハーネス
１２  ラベル
１３  剥離紙付ラベル
１４  ラベル
１５  剥離紙
１６  ラベル基材
１７  裏面
１８  粘着剤層
１９  表面
２２、２３  ラベル端部
２４  基材本体
２５  非剥離部
２６  剥離紙基材
２７  表面
２８  剥離剤層
２９  表面
３０  粘着剤層
３１  裏面
３２  粘着力低下層
３３  剥離剤層
３４  切り離し部分
３８  ラベル重なり合い部分
３９  粘着面
【図１】
2009116045.tif 000003
【図２】
2009116045.tif 000004
【図３】
2009116045.tif 000005